(57)【要約】    【課題】  確実にゴキブリ等の害虫を駆除可能であり、製作コスト、ランニングコストが掛らないゴキブリ駆除装置を提供する。    【解決手段】  少なくとも１８５ｎｍを含む近傍の波長帯域の紫外線を発するフラッシュランプ６を具備し、該フラッシュランプの点灯で生成されたオゾンをゴキブリ駆除領域に導く様構成した。    【選択図】          図１
2005176641.tif 000002
【特許請求の範囲】
【請求項１】
少なくとも１８５ｎｍを含む近傍の波長帯域の紫外線を発するフラッシュランプを具備し、該フラッシュランプの点灯で生成されたオゾンをゴキブリ駆除領域に導く様構成したことを特徴とするゴキブリ駆除装置。
【請求項２】
前記フラッシュランプがハウジングの内部に設けられ、該ハウジングにファンユニットが収納され、該ファンユニットにより前記フラッシュランプの周囲に空気を流通させ、オゾンを含む空気を前記ハウジングより吐出させる請求項１のゴキブリ駆除装置。
【請求項３】
前記フラッシュランプがハウジングの内部に設けられ、該ハウジングが石英製のガラスであり、該ハウジングの周囲に水室が形成され、該水室を飲料水が流通する様にすると共に前記フラッシュランプから発せられる紫外線は２５３．７ｎｍを含む近傍の波長帯を有する請求項１のゴキブリ駆除装置。
【請求項４】
前記オゾンは自動販売機の筐体内部の上部から下方に向って拡散される様に構成された請求項１のゴキブリ駆除装置。
【請求項５】
前記水室に自動販売機の給水路が連通された請求項３のゴキブリ駆除装置。
【請求項６】
前記紫外線は、１５０ｎｍ〜２７０ｎｍの帯域の波長を含む請求項３のゴキブリ駆除装置。
【発明の詳細な説明】
【技術分野】
【０００１】
本発明はゴキブリ駆除装置、例えば、コーヒー、ジュース等の飲料物自動販売機、給茶機、或はハンバーガー等各種食物自動販売機に設けられる害虫、特にゴキブリ駆除装置に関するものである。
【背景技術】
【０００２】
飲料物自動販売機、食物自動販売機内は一年を通して暖かく、又食物が蓄えられているので、ゴキブリに代表される害虫が販売機内に侵入し、繁殖することがあり、内部を不衛生にする場合がある。
【０００３】
従来、自動販売機内に侵入繁殖したゴキブリを駆除する為の装置が提案されている。
【０００４】
例えば、特許文献１には自動販売機内に不活性ガスボンベ、販売機内に不活性ガスを噴射するノズルを具備し、定期的に販売機内に不活性ガスを充満させ、ゴキブリを窒息死させるゴキブリ殺虫装置が示されている。又、特許文献２には、ゴキブリが通り易い箇所に電極を設け、電極を介してゴキブリに通電し、駆除するゴキブリ駆除装置が示されている。
【０００５】
然し乍ら、特許文献１に係るゴキブリ殺虫装置は、販売機内をゴキブリが窒息死する濃度迄不活性ガスで置換しなければならず、販売機の筐体に気密性が要求され、自動販売機の製作コストが掛る。又、販売機内を不活性ガスで置換する為の時間を要し、又不活性ガス自体にはゴキブリの駆除効果はないのでゴキブリを一時的に退避させるだけの効果に止まる場合がある。更に販売機内をゴキブリが窒息死する濃度迄不活性ガスで充満しておく場合、ランニングコストが掛るという問題がある。
【０００６】
又、特許文献２では、設置場所が適当でなかった場合等効果がなく、又局部的な効果に止まり有効な駆除は期待できなかった。
【０００７】
【特許文献１】実公平２−４８９４０号公報
【０００８】
【特許文献２】実開昭６１−７４１６９号公報
【発明の開示】
【発明が解決しようとする課題】
【０００９】
本発明は斯かる実情に鑑み、確実にゴキブリ等の害虫を駆除可能であり、製作コスト、ランニングコストが掛らないゴキブリ駆除装置を提供するものである。
【課題を解決するための手段】
【００１０】
本発明は、少なくとも１８５ｎｍを含む近傍の波長帯域の紫外線を発するフラッシュランプを具備し、該フラッシュランプの点灯で生成されたオゾンをゴキブリ駆除領域に導く様構成したゴキブリ駆除装置に係るものである。
【００１１】
又本発明は、前記フラッシュランプがハウジングの内部に設けられ、該ハウジングにファンユニットが収納され、該ファンユニットにより前記フラッシュランプの周囲に空気を流通させ、オゾンを含む空気を前記ハウジングより吐出させるゴキブリ駆除装置に係るものである。
【００１２】
又本発明は、前記フラッシュランプがハウジングの内部に設けられ、該ハウジングが石英製のガラスであり、該ハウジングの周囲に水室が形成され、該水室を飲料水が流通する様にすると共に前記フラッシュランプから発せられる紫外線は２５３．７ｎｍを含む近傍の波長帯を有するゴキブリ駆除装置に係るものである。
【００１３】
又本発明は、前記オゾンが自動販売機の筐体内部の上部から下方に向って拡散される様に構成されたゴキブリ駆除装置に係り、又前記水室に自動販売機の給水路が連通されたゴキブリ駆除装置に係るものである。
【００１４】
更に又本発明は、前記紫外線は、１５０ｎｍ〜２７０ｎｍの帯域の波長を含むゴキブリ駆除装置に係るものである。
【発明の効果】
【００１５】
本発明によれば、少なくとも１８５ｎｍを含む近傍の波長帯域の紫外線を発するフラッシュランプを具備し、該フラッシュランプの点灯で生成されたオゾンをゴキブリ駆除領域に導く様構成したので、オゾンの有するゴキブリ忌避作用によりゴキブリを効果的に駆除することができる。
【００１６】
又本発明によれば、前記フラッシュランプがハウジングの内部に設けられ、該ハウジングにファンユニットが収納され、該ファンユニットにより前記フラッシュランプの周囲に空気を流通させ、オゾンを含む空気を前記ハウジングより吐出させるので、発生したオゾンを所定の領域に効果的に拡散させることができる。
【００１７】
又本発明によれば、前記フラッシュランプがハウジングの内部に設けられ、該ハウジングが石英製のガラスであり、該ハウジングの周囲に水室が形成され、該水室を飲料水が流通する様にすると共に前記フラッシュランプから発せられる紫外線は２５３．７ｎｍを含む近傍の波長帯を有するので、ゴキブリの駆除の他飲料水の殺菌を効果的に行える。
【００１８】
更に又本発明によれば、前記紫外線が、１５０ｎｍ〜２７０ｎｍの帯域の波長を含むので、有効塩素濃度の低下をさせ、飲料水の味覚を向上させる等の優れた効果を発揮する。
【発明を実施するための最良の形態】
【００１９】
以下、図面を参照しつつ本発明を実施する為の最良の形態を説明する。
【００２０】
オゾンがゴキブリを忌避する作用が知られており、本発明はオゾンを安価に発生させ、オゾンによりゴキブリを駆除する様にしたものである。
【００２１】
図１により、ゴキブリ駆除装置１７について説明する。
【００２２】
中空筒状のハウジング１の内部にはランプユニット２が設けられ、該ランプユニット２に隣接してファンユニット３が収納されている。前記ハウジング１は、金属製又は石英製となっている。
【００２３】
前記ハウジング１のランプユニット２側の端部には端管４が突設され、該端管４は空気送出口１３を形成し、前記ハウジング１のファンユニット３側の端部には金網或はパンチングメタル等通気性を有する端板５が設けられ、空気吸入口１４を形成している。
【００２４】
前記ランプユニット２のフラッシュランプ６は円筒棒状であり、該フラッシュランプ６は両端部をランプ支え７に支持され、前記ハウジング１と同心に配置されている。前記ランプ支え７は図２に見られる様に、前記フラッシュランプ６が嵌合される把持部８と該把持部８から放射状に延出して前記ハウジング１の内面に到達する複数本（図示では４本）の脚部９から構成されている。尚、脚部９は複数の孔を穿設した円板としてもよい。
【００２５】
前記ファンユニット３は前記ハウジング１に固定されたモータ１１と該モータ１１の回転軸に固着されたファン１２から構成され、前記モータ１１の駆動で前記ファン１２が回転されることで、空気が前記空気吸入口１４から吸入され、前記フラッシュランプ６の周囲を通過して前記空気送出口１３より送出される様になっている。
【００２６】
前記フラッシュランプ６及びモータ１１はそれぞれケーブル１５を介して電源装置１６に接続される。
【００２７】
図３は、前記フラッシュランプ６の照射光の波長特性の一例を示している。照射光は、略４６０ｎｍ近傍で最大光強度を有し、波長が短く、又は波長が長くなるとそれぞれ光強度が漸次減少する傾向を有している。該波長特性で分る様に、使用した照射光は紫外線の波長領域である３００ｎｍ以下の光線を充分に有している。オゾンは、１８５ｎｍ近傍（オゾン線：１８４．９ｎｍ）の紫外線が照射されることで発生する。又、紫外線の２５３．７ｎｍは殺菌作用があり、殺菌線と呼ばれ、殺菌線を含む帯域の波長も効率よく発せられている。
【００２８】
又、オゾンによるゴキブリ駆除効果が得られるのは、オゾン濃度が０．０１〜０．０３ｐｐｍあればよいことが分っている。
【００２９】
前記フラッシュランプ６の照射特性を、出力１５Ｗ、１５秒照射／回、２０回／時間の間欠照射とすると、０．０００１９６ｇ／ｈのオゾンが発生することが、実験データに基づく計算により得られている。
【００３０】
以下、前記ゴキブリ駆除装置１７のオゾン発生作用について説明する。
【００３１】
上記電源装置１６により前記フラッシュランプ６を間欠点灯し、又前記モータ１１を駆動して前記ファン１２を回転させる。該ファン１２により空気が前記フラッシュランプ６の周囲を通過し、前記空気送出口１３より吐出される。又、前記フラッシュランプ６の点灯により、１８５ｎｍ近傍を含む紫外線が照射され、オゾンが生成される。生成されたオゾンは空気と共に前記空気送出口１３より吐出される。吐出されたオゾンはゴキブリ駆除領域に導かれ、ゴキブリ駆除領域のオゾン濃度が少なくとも０．０１〜０．０３ｐｐｍとなる様に前記フラッシュランプ６の点灯を調整、制御する。
【００３２】
図４は、コーヒーのカップ式自動販売機に上記ゴキブリ駆除装置１７が使用された場合を示している。
【００３３】
密閉又は略密閉された筐体２０の内部上方には、コーヒー粉収納部２１、カップ収納部２２、温水タンク２３、冷水タンク２４、ポンプ２５が配設され、該ポンプ２５は前記温水タンク２３、前記冷水タンク２４の水を後述する飲料供給台２９へ給水する。
【００３４】
前記コーヒー粉収納部２１の下方にはミルク・砂糖収納部２６が配設され、前記ポンプ２５の下方には製氷機２７、金銭投入部２８が配設され、前記筐体２０の略中央には飲料供給台２９が設けられる。該飲料供給台２９には前記筐体２０の前面に設けられた販売口（図示せず）が連通している。尚、前記飲料供給台２９は筐体２０内部に対して気密、或は略気密構造となっていることが好ましい。
【００３５】
前記飲料供給台２９の下方には給水タンク３１が設けられ、該給水タンク３１の水は給水ポンプ３２により、前記温水タンク２３、前記冷水タンク２４に供給される様になっている。又、前記給水タンク３１の下方には冷凍機３３及び排水タンク３４が設けられている。
【００３６】
尚、図示していないが、前記筐体２０の前面には選択釦等を有する操作部が設けられている。
【００３７】
金銭を投入し、操作部より、例えばホットコーヒーを購入すると、前記カップ収納部２２から前記飲料供給台２９にカップが供給され、前記コーヒー粉収納部２１からコーヒー粉、前記ミルク・砂糖収納部２６からミルク、砂糖、前記温水タンク２３から温水が同期して前記カップに注がれる。図示しない販売口よりカップが取出される。
【００３８】
前記ゴキブリ駆除装置１７は、前記筐体２０内の適宜な明き空間に設置され、前記端管４にダクト３５が接続され、該ダクト３５の先端は前記筐体２０内の上端部に位置される。
【００３９】
前記ゴキブリ駆除装置１７が駆動されると、前記電源装置１６により前記フラッシュランプ６が間欠点灯されると共に前記モータ１１が駆動される。前記フラッシュランプ６が１８５ｎｍを含む近傍の波長帯の紫外線を照射することで、オゾンが生成され、発生したオゾンは前記ファン１２で送出される空気と共に前記空気送出口１３より吐出される。前記ファン１２はオゾンを含む空気を吐出すると共に前記フラッシュランプ６を冷却する。
【００４０】
オゾンを含む空気は、前記ダクト３５の先端から排出される。オゾンは空気より重いので、排出されたオゾンは拡散しつつ降下し、前記筐体２０（ゴキブリ駆除領域）内を充満する。
【００４１】
一般的な自動販売機の空間容積を試算すると、略０．３５３ｍ3 であり、上記した様に、前記フラッシュランプ６を、出力１５Ｗ、１５秒照射／回、２０回／時間の間欠照射とすると、０．０００１９６ｇ／ｈのオゾンが発生し、その時のオゾン濃度は０．０３２ｐｐｍとなる。ゴキブリの駆除効果は、オゾン濃度が０．０１〜０．０３ｐｐｍであるので、ゴキブリ駆除に充分な濃度が得られる。尚、上記オゾン濃度の０．０３２ｐｐｍは、前記筐体２０が完全に密閉した状態を想定しており、該筐体２０からの漏出等を考慮した場合、濃度の低下が考えられるが、前記フラッシュランプ６の照射条件の、出力１５Ｗ、１５秒照射／回、２０回／時間のいずれかを適宜変更し濃度の調整を行えばよい。
【００４２】
本発明によれば、前記フラッシュランプ６を点滅するだけでよく、又点灯時間が短く、該フラッシュランプ６の寿命が長くなり、又ランニングコストも安い。
【００４３】
図５は、コーヒーのカップ式自動販売機に上記ゴキブリ駆除装置１７を使用した他の例を示している。
【００４４】
図５で示す例は、筐体２０の上部に前記ゴキブリ駆除装置１７を設置する空間がある場合であり、この場合、前記ダクト３５は省略できる。又、オゾンは空気より重いので、発生したオゾンは前記ゴキブリ駆除装置１７から吐出しなくても降下拡散するので、前記ファンユニット３を省略することも可能である。又、該ファンユニット３を省略した場合は、前記ハウジング１の軸心が鉛直、又は斜めとなる様に設置することで、オゾンの流動を促進することができる。
【００４５】
上記した様に、前記フラッシュランプ６は、波長２５３．７ｎｍの紫外線（殺菌線）を含む帯域の波長も効率よく発せられている。従って、第２の実施の形態では、殺菌線を有効利用し、飲料水を紫外線で殺菌している。
【００４６】
図６、図７により、第２の実施の形態に係るゴキブリ駆除装置３０について説明する。
【００４７】
図６中、図１中で示したものと同等のものには同符号を付してある。
【００４８】
石英ガラス製の円筒体であるハウジング１内に、前記ハウジング１と同心にフラッシュランプ６がランプ支え７を介して設けられ、該フラッシュランプ６は図示しない電源装置にケーブル１５を介して接続されている。
【００４９】
前記ハウジング１は水密構造の円筒状の容器３６の中心を貫通しており、該容器３６の両端部にはフランジキャップ３７が設けられ、前記ハウジング１が前記容器３６に取付けられ、前記ハウジング１の貫通箇所にはシール３８が設けられ水密となっている。
【００５０】
前記ハウジング１の周囲には前記容器３６により円筒状の水室３９が形成され、前記容器３６の一端部には前記水室３９と連通する水入口フランジ４１が設けられ、前記容器３６の他端部には前記水室３９と連通する水出口フランジ４２が設けられている。
【００５１】
前記容器３６の一端部には、ファンユニット収納部４３が設けられ、該ファンユニット収納部４３内にファンユニット３が収納される。該ファンユニット３はモータ１１及び該モータ１１により回転されるファン１２を具備し、前記モータ１１の回転軸は前記ハウジング１と同心であり、前記ファン１２は前記ハウジング１の軸心を中心に回転する。前記ファンユニット収納部４３の反容器３６側には端板５が設けられ、空気吸入口１４を形成している。
【００５２】
前記フラッシュランプ６を点灯し、前記モータ１１を駆動することで、前記ファン１２の回転により空気が前記ハウジング１内を通過し、通過する過程で前記フラッシュランプ６が発する紫外線のオゾン線（１８４．９ｎｍ）によりオゾンが生成され、空気と共に前記ハウジング１から吐出される。オゾンによるゴキブリ駆除効果については上述したと同様であるので、説明は省略する。
【００５３】
又、前記水入口フランジ４１より飲料水が流入され、前記水室３９を通って前記水出口フランジ４２より流出する。飲料水が前記水出口フランジ４２を流通する過程で、前記ハウジング１を透過する紫外線の殺菌線（２５３．７ｎｍ）によって飲料水が殺菌される。
【００５４】
飲料水が紫外線で殺菌されるので、塩素殺菌が必要なくなり、塩素殺菌を行わないことで飲料水として味覚が向上する。
【００５５】
上記ゴキブリ駆除装置３０をコーヒーのカップ式自動販売機に使用する場合、前記ゴキブリ駆除装置３０は例えば前記給水ポンプ３２の飲料水吐出側に設けられる（図４参照）。前記給水タンク３１から前記温水タンク２３、冷水タンク２４へ給水する過程で殺菌され、更にオゾンが生成される。この場合、オゾンを筐体２０内に効果的に拡散させる為、ダクト３５により筐体２０の上部迄オゾンを導くことが好ましい。
【００５６】
又、前記ゴキブリ駆除装置３０は例えば、前記ポンプ２５の吐出側に設けられる。飲料水は、前記温水タンク２３、冷水タンク２４から飲料供給台２９のカップに注がれる過程で殺菌される。
【００５７】
尚、前記ゴキブリ駆除装置３０を前記筐体２０の上部に配設する場合は、前記ダクト３５を省略でき、前記ファンユニット３を省略した場合は、前記ハウジング１の軸心が鉛直、又は斜めとなる様に設置することで、オゾンの流動を促進することができる。
【００５８】
尚、本発明者は紫外線の１５０ｎｍ〜２７０ｎｍの帯域が有効塩素濃度の低下をさせる作用があることを見出しており、前記フラッシュランプ６は１５０ｎｍ〜２７０ｎｍの帯域の紫外線も発しており、本発明に係るゴキブリ駆除装置３０を用いることで、水道水等を飲料水として用いた場合に有効塩素濃度を低下させ飲料水の味覚を向上させる効果も得られる。即ち、飲料水として水道水を使用した場合でも、味覚に優れたコーヒー等を提供することが可能となる。
【００５９】
而して、第２の実施の形態に於いては、ゴキブリの駆除と共に飲料水の殺菌が行え、更に飲料水の味覚の向上が図れる。
【００６０】
尚、本発明は各種飲食物自動販売機、或は食物貯蔵庫等にも実施可能であることは言う迄もない。
【図面の簡単な説明】
【００６１】
【図１】本発明の第１の実施の形態を示す概略断面図である。
【図２】図１のＡ−Ａ矢視図である。
【図３】本発明に使用されるフラッシュランプが発する光の波長特性を示す線図である。
【図４】本発明に係るゴキブリ駆除装置をカップ式自動販売機に実施した場合を示す概略配置図である。
【図５】本発明に係るゴキブリ駆除装置をカップ式自動販売機に実施した場合を示す他の概略配置図である。
【図６】本発明の第２の実施の形態を示す概略断面図である。
【図７】図６のＢ−Ｂ断面図である。
【符号の説明】
【００６２】
１              ハウジング
２              ランプユニット
３              ファンユニット
６              フラッシュランプ
７              ランプ支え
１１            モータ
１２            ファン
１３            空気送出口
１４            空気吸入口
１７            ゴキブリ駆除装置
２０            筐体
２５            ポンプ
３０            ゴキブリ駆除装置
３２            給水ポンプ
３５            ダクト
３６            容器
３９            水室
【図１】
2005176641.tif 000003
【図２】
2005176641.tif 000004
【図３】
2005176641.tif 000005
【図４】
2005176641.tif 000006
【図５】
2005176641.tif 000007
【図６】
2005176641.tif 000008
【図７】
2005176641.tif 000009